(57)【要約】【課題】構成簡単であり、より自然な翩翻感を創出する屋内鯉のぼり翩翻装置を得る。【解決手段】屋内鯉のぼり翩翻装置１は、底部ハウジング２に設けた第１電動モータおよび第１伝動機構による外側支柱３内に回転可能に支持した中間軸６の一定角度範囲の回動運動を、各種鯉のぼり要素４Ａ〜４Ｄのヨーク手段２５に関連させた、交互の第１首振り機構Ｋ１および第２首振り機構Ｋ２により、ヨーク手段２５を介して鯉のぼり要素４Ａ〜４Ｄに交互に逆向きの首振り運動を与える。第２首振り機構Ｋ２の揺動レバーを外側支柱３の外部または内部に配置する。所要に応じて、滑車手段２４に巻き掛けたロープ手段のロープ１１の第２伝動機構による上下動運動を、ロープ１１とヨーク手段２５または各種鯉のぼり要素４Ａ〜４Ｄの口輪手段２６とを連結する連結手段３９により、各種鯉のぼり要素４Ａ〜４Ｄを上下動させる。【選択図】図１
2011092688.tif 000002
【特許請求の範囲】
【請求項１】
鯉のぼりを屋内で擬似的に翻させる屋内鯉のぼり翩翻装置であって、
底部ハウジング内に設けた電動モータ、ならびにこの電動モータの回転駆動力を伝達する伝動機構と、
前記底部ハウジングに支持した中空円筒形の外側支柱と、
前記外側支柱内に同軸状に配置しかつ第１伝動機構により制限角度範囲内で首振り運動するよう支持した中間軸と、
この中間軸に直交するよう突設して前記外側支柱に貫通する１対の水平軸の周りに取り付け、前記中間軸と一緒に回動可能にしたヨーク手段と、
このヨーク手段に着脱自在に取り付けた各種の鯉のぼり要素と、  前記外側支柱の先端に設けた水平軸線の周りに回転する矢車を有する矢車ユニットと
を備えた該屋内鯉のぼり翩翻装置において、
各種鯉のぼり要素を支持する前記ヨーク手段は、最上位から最下位にかけて、順次中間軸に対して交互に設けた、前記中間軸と同期した首振りを行うよう構成した第１首振り機構および前記中間軸とは逆向きの首振りを行うよう構成した第２首振り機構を介して、前記外側支柱に対して前記中間軸の軸線周りに回動自在に取り付け、
前記第１首振り機構は、中間軸に固定し、前記外側支柱には固定しない中間軸固定ブッシュであって、前記１対の水平軸を互いに直径方向に対向する側面から突設し、これら水平軸を前記外側支柱に設けた長溝孔から外部に突出させ、前記外側支柱から露出した水平軸に前記ヨーク手段を取り付け、前記外側支柱に対して相対回動する、該中間軸固定ブッシュにより構成し、
前記第２首振り機構は、
前記中間軸には固定せず、前記外側支柱に固定した支柱固定ブッシュであって、前記中間軸をこの支柱固定ブッシュ内で回転可能にした、該支柱固定ブッシュと、
この支柱固定ブッシュの上側および下側のうち一方で前記中間軸に固定し、前記外側支柱には固定しない第２中間軸固定ブッシュと、
前記支柱固定ブッシュの上側および下側のうち他方で前記中間軸にも前記外側支柱にも固定しない遊びブッシュであって、１対の水平軸を互いに直径方向に対向する側面から突設し、これら水平軸を前記外側支柱に設けた長溝孔から外部に突出させ、前記外側支柱から露出した水平軸に前記ヨーク手段を取り付け、前記中間軸および前記外側支柱に対して相対回動する、該遊びブッシュと、
前記支柱固定ブッシュに設けた軸受部に支承し、前記中間軸の軸線に直交する軸線の周りに所定角度範囲内で揺動する揺動レバーを有し、前記第２中間軸固定ブッシュにおける前記中間軸の軸線周りの回動を前記揺動レバーの一方の端部に伝達するとともに、前記揺動レバーの他方の端部が前記遊びブッシュに作用して前記第２中間軸固定ブッシュの回動とは逆方向の回動を、前記水平軸を介して前記ヨーク手段に伝達する、該揺動手段と、
により構成し、これにより、順次の鯉のぼり要素に対して、互いに逆方向のゆらぎを交互に付与する構成とした
ことを特徴とする屋内鯉のぼり翩翻装置。
【請求項２】
請求項１に記載の屋内鯉のぼり翩翻装置において、前記揺動レバーを前記外側支柱の内部に配設し、前記支柱固定ブッシュ、前記第２中間軸固定ブッシュおよび前記遊びブッシュのそれぞれに設けたキャビティ内で運動可能に配置し、前記揺動レバーは、拡大した球面状の軸受部と、この軸受部から上方および下方に突出するレバーアーム部と、これらレバーアーム部の遊端に設けた拡大ヘッド部とを有し、前記支柱固定ブッシュ、前記第２中間軸固定ブッシュおよび前記遊びブッシュは、前記レバーアーム部の回動および揺動を許容する円弧状のキャビティおよび前記軸受部または拡大ヘッド部を摺動可能に収容する球面状キャビティを有する構成とした屋内鯉のぼり翩翻装置。
【請求項３】
請求項１に記載の屋内鯉のぼり翩翻装置において、前記揺動レバーを前記外側支柱の外部に配設し、前記支柱固定ブッシュから前記外側支柱に貫通して半径方向外部に突出する支軸により前記揺動レバーを揺動可能に支承し、前記揺動レバーの前記他方の端部の揺動運動を前記ヨーク手段に伝達するよう、前記揺動レバーの前記他方の端部近傍における側面から突出し、前記ヨーク手段に圧着する伝達ピンを有するものとした屋内鯉のぼり翩翻装置。
【請求項４】
請求項３に記載の屋内鯉のぼり翩翻装置において、前記第２中間軸固定ブッシュには、前記外側支柱に設けた第２長溝孔を経て半径方向外部に突出する作用ピンを突設し、該作用ピンを前記揺動レバーに設けた窪みに収容し、前記揺動レバーの前記他方の端部の揺動運動を前記ヨーク手段に伝達するよう、このヨーク手段を支持する前記水平軸に取り付けるＵ字状部材であって、Ｕ字の底部から半径方向外方に突出する拡大ヘッド付きの伝達ピンを取り付け、前記伝達ピンの拡大ヘッドを揺動レバーの前記他方の端部側に配置した窪みに収容させる、該Ｕ字状部材を有するものとした屋内鯉のぼり翩翻装置。
【請求項５】
請求項１〜４のうちいずれか一項に記載の屋内鯉のぼり翩翻装置において、前記ヨーク手段を、第２伝動機構、および前記外側支柱に設けた滑車に巻き掛けたロープ手段を介して一定のストロークで上下動させる構成とした屋内鯉のぼり翩翻装置。
【請求項６】
請求項１〜５のいずれか一項に記載の屋内鯉のぼり翩翻装置において、前記矢車ユニットを、第１端部および第２端部を有し、前記第１端部を前記外側支柱の先端に着脱可能に取り付けるスリーブと、このスリーブに対して回転可能に取り付けた水平軸の両側にそれぞれ設けた１対の矢車と、第１の伝動機構を駆動する前記電動モータによって駆動され、前記中間軸内で回転可能に支承した中心軸を介して前記矢車を回転駆動する第３伝動機構と、前記スリーブの第２端部に取り付けた玉飾りと、により構成し、前記第３伝動機構は、前記中心軸に磁石手段により連結する軸部を有する傘歯歯車伝動手段により構成した、屋内鯉のぼり翩翻装置。
【請求項７】
請求項１〜５のいずれか一項に記載の屋内鯉のぼり翩翻装置において、前記矢車ユニットを、第１端部および第２端部を有し、前記第１端部を前記外側支柱の先端に着脱可能に取り付けるスリーブと、このスリーブに対して回転可能に取り付けた水平軸の両側にそれぞれ設けた１対の矢車と、前記スリーブの前記第２端部に設けた支持プレートに設け、第１の伝動機構を駆動する前記電動モータとは別の第２電動モータと、この第２電動モータの回転を前記矢車の水平軸に伝達する第３伝動機構と、前記スリーブの先端部分、前記第２電動モータおよび前記第３伝動機構の上側部分を包囲する玉飾りと、により構成した、屋内鯉のぼり翩翻装置。
【請求項８】
請求項１〜７のいずれか一項に記載の屋内鯉のぼり翩翻装置において、前記各種の鯉のぼり要素を、それぞれの大きさに応じた寸法にして、
前記ヨーク手段に引っ掛けるフックを設けた口輪を有する口輪手段と、
前記口輪の左右の半部でそれぞれ周方向に互いに離して口輪の軸線に平行に突設し、ほぼ骨格の中央部まで延在する少なくとも２個のチューブ状の骨格材、およびこれら骨格材を互いに連結する肋材としての複数個の細いプラスチックロッドよりなる前半骨格部分と、
前記骨格材の口輪側とは反対側の端部に取り付けた胴体輪の中心に固定し、尾の方向に向かって延び、各鯉のぼり要素の輪郭にほぼ対応する形状に形成した可撓性の平坦シート、およびこの平坦シートに互いに離して取り付けた肋材としての複数個のプラスチックロッドよりなる後半骨格部分と、
前記後半骨格部分から前記前半骨格部分に装着する袋状に形成した各種鯉のぼり要素のスキンと、
により構成した屋内鯉のぼり翩翻装置。
【請求項９】
請求項１〜７のいずれか一項に記載の屋内鯉のぼり翩翻装置において、前記各種の鯉のぼり要素を、それぞれの大きさに応じた寸法にして、
前記ヨーク手段に引っ掛けるフックを設けた口輪を有する口輪手段と、
前記口輪の左右の半部でそれぞれ周方向に互いに離して口輪の軸線に平行に突設し、ほぼ骨格の中央部まで延在する少なくとも２個のチューブ状の骨格材、およびこれら左右２個ずつ、合計４個の骨格材の周囲に取り付けた肋材としての複数個の幅狭プラスチックバンドよりなる前半骨格部分と、
前記骨格材の口輪側とは反対側で骨格材を保持する、１対の張り出しアーム付きプレート間に挟み込んで保持し、尾の方向に向かって延び、各鯉のぼり要素の輪郭にほぼ対応する形状に形成した可撓性の平坦シート、およびこの平坦シートに互いに離して取り付けた肋材としての複数個のプラスチックバンドよりなる後半骨格部分と、
前記後半骨格部分から前記前半骨格部分に装着する袋状に形成した各種鯉のぼり要素のスキンと、
により構成した屋内鯉のぼり翩翻装置。
【発明の詳細な説明】
【技術分野】
【０００１】
本発明は、鯉のぼりを屋内で擬似的に翻させる屋内鯉のぼり翩翻装置であって、底部ハウジング内に設けた電動モータ、ならびにこの電動モータの回転駆動力を伝達する伝動機構と、前記底部ハウジングに支持した中空円筒形の外側支柱と、前記外側支柱内に同軸状に配置しかつ第１伝動機構により制限角度範囲内で首振り運動するよう支持した中間軸と、この中間軸に直交するよう突設して前記外側支柱に貫通する１対の水平軸の周りに取り付け、前記中間軸と一緒に回動可能にしたヨーク手段と、このヨーク手段に着脱自在に取り付けた各種の鯉のぼり要素と、前記外側支柱の先端に設けた水平軸線の周りに回転する矢車を有する矢車ユニットと、を備えた該屋内鯉のぼり翩翻装置に関するものである。
【背景技術】
【０００２】
このような屋内鯉のぼり翩翻装置としては、本願人による先願発明であり特許文献１に記載したものがある。
しかし、本願人による先願発明である特許文献１に記載の「空中浮動体装置」と称した屋内鯉のぼり翩翻装置は、電動モータの出力軸の他に、中間軸を駆動するギヤ段の他に、外側支柱に設けた滑車に巻き掛けたロープ手段を介して一定のストロークでヨーク手段を上下動させるためのウォームを支持する他の垂直軸を必要としていた。
また、電動モータの出力軸に設けたギヤにより、中間軸に設けたギヤおよびウォーム支持垂直軸に設けたギヤの双方を直接駆動するため、大きい出力のモータを必要とし、また矢車の回転が速すぎてせわしなく、優雅さに欠け、危険でもあった。
【０００３】
この本願人による特許文献１に記載の欠点を解決するため、本願人による先願発明として特許文献２に記載した屋内鯉のぼり翩翻装置を提案した。
特許文献２に記載の屋内鯉のぼり翩翻装置によれば、第１伝動機構および第２伝動機構を中間軸のみに関連させ、また、スプロケットホイールおよびチェーン駆動としたため、構成簡単であり、低コストにすることができ、かつ矢車を低速かつ安全に回転させることができる。
【先行技術文献】
【特許文献】
【０００４】
【特許文献１】特開平１１−３１８６８７号公報
【特許文献２】特開２００８−２９４３９号公報
【発明の開示】
【発明が解決しようとする課題】
【０００５】
しかし、本願人による特許文献１の欠点を解決することを目的とした、やはり本願人による特許文献２においては、最上位に配置する吹き流しを含めた鯉のぼり要素の左右の振れが、すべて同期した振れしか生ずることができず、見た目が機械的動作で不自然な感じが否めず、鯉のぼり要素自体も、骨格をなす芯片に発泡スチロール塊を付着させて、鯉のぼり要素のスキンを膨らませていたため、上下、左右に振れる際のくねりが不自然であった。
【０００６】
したがって、本発明の目的は、不自然な機械的動作感および不興な膨らみ感を払拭し、風をはらんで膨らみ、揺らめく自然な翩翻感を醸し出すことができ、かつ構成簡単で低コストで製造できる屋内鯉のぼり翩翻装置を得るにある。
【課題を解決するための手段】
【０００７】
この目的を達成するため、本発明屋内鯉のぼり翩翻装置は、
各種鯉のぼり要素を支持する前記ヨーク手段は、最上位から最下位にかけて、順次中間軸に対して交互に設けた、前記中間軸と同期した首振りを行うよう構成した第１首振り機構および前記中間軸とは逆向きの首振りを行うよう構成した第２首振り機構を介して、前記外側支柱に対して前記中間軸の軸線周りに回動自在に取り付け、
前記第１首振り機構は、中間軸に固定し、前記外側支柱には固定しない中間軸固定ブッシュであって、前記１対の水平軸を互いに直径方向に対向する側面から突設し、これら水平軸を前記外側支柱に設けた長溝孔から外部に突出させ、前記外側支柱から露出した水平軸に前記ヨーク手段を取り付け、前記外側支柱に対して相対回動する、該中間軸固定ブッシュにより構成し、
前記第２首振り機構は、
前記中間軸には固定せず、前記外側支柱に固定した支柱固定ブッシュであって、前記中間軸をこの支柱固定ブッシュ内で回転可能にし、た、該支柱固定ブッシュと、
この支柱固定ブッシュの上側および下側のうち一方で前記中間軸に固定し、前記外側支柱には固定しない第２中間軸固定ブッシュと、
前記支柱固定ブッシュの上側および下側のうち他方で前記中間軸にも前記外側支柱にも固定しない遊びブッシュであって、前記１対の水平軸を互いに直径方向に対向する側面から突設し、これら水平軸を前記外側支柱に設けた長溝孔から外部に突出させ、前記外側支柱から露出した水平軸に前記ヨーク手段を取り付け、前記中間軸および前記外側支柱に対して相対回動する、該遊びブッシュと、
前記支柱固定ブッシュに設けた軸受部に支承し、前記中間軸の軸線に直交する軸線の周りに所定角度範囲内で揺動する揺動レバーを有し、前記第２中間軸固定ブッシュ、における前記中間軸の軸線周りの回動を前記揺動レバーの一方の端部に伝達するとともに、前記揺動レバーの他方の端部が前記遊びブッシュに作用して前記第２中間軸固定ブッシュの回動とは逆方向の回動を、前記水平軸を介して前記ヨーク手段に伝達する該揺動レバーと、
により構成し、  これにより、順次の鯉のぼり要素に対して、互いに逆方向のゆらぎを交互に付与する構成とした
ことを特徴とする。
【発明の効果】
【０００８】
本発明屋内鯉のぼり翩翻装置によれば、順次の鯉のぼり要素を第１首振り機構および第２首振り機構により、交互に互いに逆向きの首振り運動を行わせるため、機械的、画一的な不自然さではない、自然なゆらぎ感を醸し出すことができる。
【０００９】
本発明屋内鯉のぼり翩翻装置の好適な実施形態においては、前記揺動レバーを前記外側支柱の内部に配設し、前記支柱固定ブッシュ、前記第２中間軸固定ブッシュおよび前記遊びブッシュのそれぞれに設けたキャビティ内で運動可能に配置し、前記揺動レバーは、拡大した球面状の軸受部と、この軸受部から上方および下方に突出するレバーアーム部と、これらレバーアーム部の遊端に設けた拡大ヘッド部とを有し、前記支柱固定ブッシュ、前記第２中間軸固定ブッシュおよび前記遊びブッシュは、前記レバーアーム部の回動および揺動を許容する円弧状のキャビティおよび前記軸受部または拡大ヘッド部を摺動可能に収容する球面状キャビティを有する構成とする。
【００１０】
本発明屋内鯉のぼり翩翻装置の他の好適な実施形態においては、前記揺動レバーを前記外側支柱の外部に配設し、前記支柱固定ブッシュから前記外側支柱に貫通して半径方向外部に突出する支軸により前記揺動レバーを揺動可能に支承し、前記揺動レバーの前記他方の端部の揺動運動を前記ヨーク手段に伝達するよう、前記揺動レバーの前記他方の端部における側面から突出し、前記ヨーク手段に圧着する伝達ピンを有する構成とする。
代案として、または付加的に、前記揺動レバーの前記他方の端部の揺動運動を前記ヨーク手段に伝達するよう、このヨーク手段を支持する水平軸に取り付けるＵ字状部材であって、Ｕ字の底部から半径方向外方に突出する拡大ヘッド付きの伝達ピン取り付け、前記伝達ピンの拡大ヘッドを揺動レバーの前記他方の端部側に配置した窪みに収容させる、該Ｕ字状部材を有する構成とする。
【００１１】
本発明屋内鯉のぼり翩翻装置の好適な実施形態においては、前記ヨーク手段を、第２伝動機構、および前記外側支柱に設けた滑車に巻き掛けたロープ手段を介して一定のストロークで上下動させる構成とする。
【００１２】
本発明屋内鯉のぼり翩翻装置の好適な実施形態においては、前記矢車ユニットを、第１端部および第２端部を有し、前記第１端部を前記外側支柱の先端に着脱可能に取り付けるスリーブと、このスリーブに対して回転可能に取り付けた水平軸の両側にそれぞれ設けた１対の矢車と、第１の伝動機構を駆動する前記電動モータによって駆動され、前記中間軸内で回転可能に支承した中心軸を介して前記矢車を回転駆動する第３伝動機構と、前記スリーブの第２端部に取り付けた玉飾りと、により構成し、前記第３伝動機構は、前記中心軸に磁石手段により連結する軸部を有する傘歯歯車伝動手段により構成する。
【００１３】
本発明屋内鯉のぼり翩翻装置の好適な実施形態においては、矢車ユニットを、第１端部および第２端部を有し、前記第１端部を前記外側支柱の先端に着脱可能に取り付けるスリーブと、このスリーブに対して回転可能に取り付けた水平軸の両側にそれぞれ設けた１対の矢車と、前記スリーブの前記第２端部に設けた支持プレートに設け、第１の伝動機構を駆動する前記電動モータとは別の第２電動モータと、この第２電動モータの回転を前記矢車の水平軸に伝達する第３伝動機構と、前記スリーブの先端部分、前記第２電動モータおよび前記第３伝動機構の上側部分を包囲する玉飾りと、により構成する。
この構成によれば、矢車ユニットを着脱自在とし、また、首振り機構および上下動機構のための伝動機構を駆動する電動モータとは異なる電動モータを使用し、矢車を駆動するための伝動機構の一部をなす中心軸を、首振り機構の一部をなす中間軸内に同軸状に配置することが不要となるため、特許文献２に記載の本願人による、矢車駆動用の傘歯（ベベル）歯車機構を中心軸に組み合わせる従来技術よりも、構成および組み立てが簡単になり、分解して保管も容易になる。
【００１４】
さらに、本発明屋内鯉のぼり翩翻装置の好適な実施形態においては、前記各種の鯉のぼり要素を、それぞれの大きさに応じた寸法にして、
前記ヨーク手段に引っ掛けるフックを設けた口輪を有する口輪手段と、
前記口輪の左右の半部でそれぞれ周方向に互いに離して口輪の軸線に平行に突設し、ほぼ骨格の中央部まで延在する少なくとも２個のチューブ状の骨格材、およびこれら骨格材を互いに連結する肋材としての複数個の細いプラスチックロッドよりなる前半骨格部分と、
前記骨格材の口輪側とは反対側の端部に取り付けた胴体輪の中心に固定し、尾の方向に向かって延び、各鯉のぼり要素の輪郭にほぼ対応する形状に形成した可撓性の平坦シート、およびこの平坦シートに互いに離して取り付けた肋材としての複数個のプラスチックロッドよりなる後半骨格部分と、
前記後半骨格部分から前記前半骨格部分に装着する袋状に形成した各種鯉のぼり要素スキンと、
により構成する。この実施形態によれば、特許文献２に記載の本願人による、口輪から尾まで全体的に延在する平坦シートの両面に膨出材としての発泡スチロールを貼り付ける従来技術よりも、軽量となり、また後半骨格部分がくねりを生ずるので動きがリアルになる。
【００１５】
本発明屋内鯉のぼり翩翻装置のさらに他の好適な実施形態においては、前記各種の鯉のぼり要素を、それぞれの大きさに応じた寸法にして、
前記ヨーク手段に引っ掛けるフックを設けた口輪を有する口輪手段と、
前記口輪の左右の半部でそれぞれ周方向に互いに離して口輪の軸線に平行に突設し、ほぼ骨格の中央部まで延在する少なくとも２個のチューブ状の骨格材、およびこれら左右２個ずつ、合計４個の骨格材の周囲に取り付けた肋材としての複数個の幅狭プラスチックバンドよりなる前半骨格部分と、
前記骨格材の口輪側とは反対側で骨格材を保持する、１対の張り出しアーム付きプレート間に挟み込んで保持し、尾の方向に向かって延び、各鯉のぼり要素の輪郭にほぼ対応する形状に形成した可撓性の平坦シート、およびこの平坦シートに互いに離して取り付けた肋材としての複数個のプラスチックバンドよりなる後半骨格部分と、
前記後半骨格部分から前記前半骨格部分に装着する袋状に形成した各種鯉のぼり要素のスキンと、
により構成する。この構成によれば、鯉のぼり要素の構成および組立を一層簡単にすることができるようになる。
【００１６】
つぎに、図面につき、本発明の好適な実施形態を説明する。
【図面の簡単な説明】
【００１７】
【図１】本発明による屋内鯉のぼり翩翻装置の第１実施例の全体を示す線図的側面図である。
【図２】本発明屋内鯉のぼり翩翻装置の伝動機構を示し、（ａ）は一部断面とする側面図、（ｂ）は別の角度から見た一部断面とする側面図、（ｃ）は（ａ）のＣ−Ｃ線上の一部断面とする平面図である。
【図３】本発明屋内鯉のぼり翩翻装置の外側支柱内に配置する中間軸と、この中間軸に装着した各種のブッシュとを示す側面図である。
【図４】本発明屋内鯉のぼり翩翻装置における外側支柱に取り付ける、上位２個のヨーク手段、および２番目（偶数番目）における第２首振り機構を示す線図的説明図であり、（ａ）は部分側面図、（ｂ）はヨーク手段を示す横断面図、（ｃ）はヨーク手段の端面図、（ｄ）は第２首振り機構の揺動レバーを示す部分縦断面図、（ｅ）は揺動レバーの端面図である。
【図５】本発明屋内鯉のぼり翩翻装置の、下位２個のヨーク手段、このヨーク手段に装着した口輪手段、および口輪手段に連結する上下動機構を示す線図的説明図であり、（ａ）は部分側面図、（ｂ）はヨーク手段の横断面図、（ｃ）は上下動機構のロープ手段の横断面図、（ｄ）は第２首振り機構に関連するヨーク手段の横断面図である。
【図６】本発明屋内鯉のぼり翩翻装置における鯉のぼり要素の、口輪手段および前半骨格部分の一部を示す線図的説明図であり、（ａ）は口輪手段の端面図、（ｂ）は部分平面図、（ｃ）は部分側面図である。
【図７】本発明屋内鯉のぼり翩翻装置における鯉のぼり要素の、前半骨格部分の一部および後半骨格部分の一部を示す線図的説明図であり、（ａ）は部分端面図、（ｂ）は部分平面図、（ｃ）は部分側面図である。
【図８】本発明屋内鯉のぼり翩翻装置における鯉のぼり要素の、後半骨格部分を示す線図的説明図であり、（ａ）は側面図、（ｂ）は平面図である。
【図９】本発明屋内鯉のぼり翩翻装置における矢車ユニットの線図的説明図であり、（ａ）は縦断面図、（ｂ）は（ａ）とは別角度の上述の目的を達成する縦断面図、（ｃ）は玉飾りの平面図である。
【図１０】本発明屋内鯉のぼり翩翻装置における第２首振り機構の詳細を示す説明図であり、（ａ）は横断面、（ｂ）は一部断面とする側面図、（ｃ）は一部断面とする端面図である。
【図１１】本発明屋内鯉のぼり翩翻装置における第２実施例の第２首振り機構を示す説明図である。
【図１２】図１１に示す第２首振り機構の詳細を示す説明図であり、（ａ）は揺動レバーが存在する平面に沿う（図２(b)のＡ−Ａ線上の）部分縦断面、（ｂ）は支柱固定ブッシュにおける横断面図、（ｃ）は支柱固定ブッシュの揺動レバーが存在する平面に沿う部分縦断面、（ｄ）は第２中間軸固定ブッシュまたは遊びブッシュにおける横断面図、（ｅ）は第２中間軸固定ブッシュの揺動レバーが存在する平面に沿う部分縦断面、（ｆ）遊びブッシュの揺動レバーが存在する平面に沿う部分縦断面であり、（ｂ）〜（ｆ）では揺動レバーを省略して示す。
【図１３】矢車ユニットの他の実施例における伝動機構を示す説明図である。
【図１４】鯉のぼり要素の前半骨格部分の説明図であり、（ａ）は側面図、（ｂ）は横断面図である。
【図１５】鯉のぼり要素の中間骨格部分および後半骨格部分の説明図であり、（ａ）は平面図、（ｂ）は張り出しアーム付きプレートの側面図、（ｃ）は張り出しアーム付きプレートの横断面図、（ｄ）後半骨格部分の部分側面図である。
【発明を実施するための形態】
【００１８】
図１に、本発明による屋内鯉のぼり翩翻装置１の線図的全体図を示す。本発明による屋内鯉のぼり翩翻装置１は、底部ハウジング２と、この底部ハウジング２に支持した中空円筒形の外側支柱３と、この外側支柱３に支持する鯉のぼり要素４Ａ，４Ｂ，４Ｃ，４Ｄと、矢車ユニット５を有する。各種の鯉のぼり要素は、吹き流し（４Ａ）、黒鯉（４Ｂ）、赤鯉（４Ｃ）、青鯉（４Ｄ）としたが、好みに応じてこれ以外の鯉のぼり要素を設けることもできる。
【実施例１】
【００１９】
図１には、鯉のぼり要素４Ａ，４Ｂ，４Ｃ，４Ｄを上下動させる機構、鯉のぼり要素４Ａ，４Ｂ，４Ｃ，４Ｄを交互に逆向きの首振り動作をさせる機構、矢車ユニットを駆動するための別個の駆動モータを備えた実施例を示す。
【００２０】
外側支柱３内には、図３に示すように、この外側支柱３に同軸状に配置した中間軸６、およびこの中間軸６に装着する複数個のブッシュ手段７を収容する。また、底部ハウジング２内には、図２に示すように、電動モータ８、ならびにこの電動モータの回転駆動力を伝達する第１伝動機構９、および第２伝動機構１０を収容する。
【００２１】
図１および２に示すように、底部ハウジング２には、外側支柱３を安定的に支持し、中間軸６およびロープ手段のロープ１１が貫通する天板１２を設ける。この天板１２には電源スイッチ１３を設ける。
【００２２】
本発明の屋内鯉のぼり翩翻装置１によれば、第１伝動機構９は、電動モータ８の変速機構ボックス８Ａ、およびこの変速機構ボックス８Ａから突出する出力軸８Ｂ、この出力軸８Ｂに固着し、中間にウォーム１４を設けた第１駆動軸１５と、この第１駆動軸１５に連結した第１駆動ディスク１６を有する。電動モータ８および変速機構ボックス８Ａは、底部ハウジング２内に設けた仕切り板２Ａに取り付ける。
【００２３】
第１伝動機構９は、さらに、第１駆動ディスク１６に突設した第１偏心ピン１７に転動可能に設けたローラ１８と、中間軸６に固着し、この中間軸６から半径方向に突出し、ローラ１８を転動案内可能に挟み込む案内アーム手段１９とを有する。
【００２４】
第２伝動機構１０は、第１駆動軸１５の中間に設けたウォーム１４に噛合するウォームホイール２０と、第１駆動軸１５に直交するよう底部ハウジング２内の仕切り板２Ｂに取り付けたウォームボックス２Ｃに回転自在に取り付けた第２駆動軸２１に固着した第２駆動ディスク２２と、この第２駆動ディスク２２に取り付けた第２偏心ピン２３とを有する。この第２偏心ピン２３に、ロープ手段におけるロープ１１の一方の端部に設けたリングを互いに摺動可能に連結する。
【００２５】
本発明屋内鯉のぼり翩翻装置１によれば、電源スイッチ１３によってモータ８をスイッチオンすると、出力軸８Ｂの回転を、第１伝動機構９の第１駆動軸１５、第１駆動ディスク１６、第１偏心ピン１７、ローラ１８および案内アーム手段１９を介して中間軸６を一定角度範囲で回動させる。中間軸６の上方端部には、外側支柱３内で回転可能に支持するラジアル軸受ブッシュ７Ｒを設け、中間軸６の下端部には、スラスト軸受部６Ａに噛合するフォークを設けたスラスト軸受ブッシュ７Ｓを固着する。
【００２６】
また、出力軸８Ｂの回転を、第１駆動軸１５の中間に設けたウォーム１４、第２伝動機構１０のウォームホイール２０、第２駆動軸２１、第２駆動ディスク２２、第２偏心ピン２３を介して、外側支柱の上方部分に設けた滑車手段２４に巻き掛けたロープ手段のロープ１１を上下動させ、支柱に回動自在に取り付けたヨーク手段２５を上下動させ、したがって、このヨーク手段２５にフック連結した鯉のぼり要素４Ａ〜４Ｄをゆったりと上下動させる。
【００２７】
さらに、中間軸６は第１伝動機構９によって、垂直軸線の周りに一定角度範囲内で揺動し、中間軸６に取り付けたブッシュ手段７に連結するヨーク手段２５も揺動し、ヨーク手段２５に口輪手段２６を介してフック連結した鯉のぼり要素４Ａ〜４Ｄは左右にゆったりと往復運動する。したがって、鯉のぼり要素４Ａ〜４Ｄは、屋内でも風力を必要としないで、翩翻と翻ることができる。
【００２８】
本発明によれば、中間軸６に対して、ヨーク手段２５に関連する第１首振り機構Ｋ１および第２首振り機構Ｋ２を交互に配置することにより、鯉のぼり要素４Ａ〜４Ｄを交互に逆向きの首振り運動をさせる。
【００２９】
第１首振り機構Ｋ１は、図３に示すように、中間軸６に固定し、外側支柱３には固定しない中間軸固定ブッシュ７Ａと、この中間軸固定ブッシュ７Ａの直径方向に互いに対向する側面からそれぞれ半径方向外方に突出する１対の水平軸２７（図４参照）と、これら水平軸２７を外部に露出させるよう外側支柱３に設けた長溝孔２８（図４参照）とにより構成する。この長溝孔２８によって、水平軸２７は中間軸６の一定角度範囲内の回動により、水平平面内で外側支柱３に対して相対回動することができる。
【００３０】
外側支柱３から外部に露出した１対の水平軸２７の端部にヨーク手段２５を回動可能に取り付け、第１伝動機構９および第２伝動機構１０により首振り運動および上下動運動を行うことができる。
【００３１】
第２首振り機構Ｋ２は、図３に示すように、中間軸６には固定せず、外側支柱３に固定した支柱固定ブッシュ７Ｂを有する。中間軸６をこの支柱固定ブッシュ７Ｂ内で回転可能にし、また外側支柱３に貫通して半径方向に突出する支軸２９（図４参照）を突設する。
【００３２】
第２首振り機構Ｋ２は、さらに、図３に示すように、この支柱固定ブッシュ７Ｂの下側で中間軸６に固定し、外側支柱には固定しない第２中間軸固定ブッシュ７Ａ′を有し、この第２中間軸固定ブッシュ７Ａ′には、図４に示すように、外側支柱３に設けた第２長溝孔２８′を経て半径方向外方に突出する作用ピン３０を突設する。
【００３３】
さらに、第２首振り機構Ｋ２は、図３に示すように、支柱固定ブッシュ７Ｂの上側で中間軸６にも外側支柱３にも固定しない遊びブッシュ７Ｃを有し、この遊びブッシュ７Ｃの直径方向に互いに対向する側面から半径方向外方に突出する１対の水平軸２７を突設する。水平軸２７を外側支柱３に設けた長溝孔２８から外部に突出させ、外側支柱３から露出した水平軸２７にヨーク手段２５を取り付け、中間軸６および外側支柱３の双方に対して相対回動可能にする。
【００３４】
第２首振り機構Ｋ２は、さらにまた、中心孔３３Ａを有する揺動レバー３３を有し、この揺動レバー３３は、支柱固定ブッシュ７Ｂに設けた支軸２９に中心孔３３Ａで回動可能に支承する。中心孔３３Ａの下方に設けた下方窪み３４に、第２中間軸固定ブッシュ７Ａ′の作用ピン３０の拡大ヘッド３０Ａを収容する。
【００３５】
揺動レバー３３の上側端部の揺動運動をヨーク手段２５に伝達する揺動伝達手段として、図４に示すように、揺動レバー３３に、ヨーク手段２５の両側のウイング２５Ａに圧着する１対の伝達ピン３６を設け、この伝達ピン３６からヨーク手段２５を介して、揺動レバーの揺動をヨーク手段２５に伝達し、第１首振り機構の首振り運動とは逆向きの首振り運動を可能にする。
【００３６】
揺動レバーの上側端部の揺動運動を前記ヨーク手段に伝達する揺動伝達手段として、揺動レバー３３に設ける伝達ピン３６の代わりに、または付加的に、遊びブッシュ７Ｃの水平軸２７には、図５（ｄ）に示すように、Ｕ字状部材３１（図１０参照）を取り付け、このＵ字状部材３１のＵ字の底部から拡大ヘッド付きの伝達ピン３２を半径方向外方に突出させ、この伝達ピン３２の先端に拡大ヘッド３２Ａを設ける。この拡大ヘッド３２Ａを揺動レバー３３の中心孔の上方に設けた上側窪み３５に収容する。
【００３７】
この構成により、支柱固定ブッシュ７Ｂの下側における第２中間固定ブッシュ７Ａ′の中間軸６の回動に同期する回動方向とは逆方向の回動を、揺動レバー３３の下側における作用ピン３０とは中央の支軸２９を挟んで反対側の上側におけるＵ字状部材３１の伝達ピン３２、遊びブッシュ７Ｃを介してヨーク手段２５に与え、第１首振り機構の首振り運動とは逆向きの首振り運動を可能にする。
【００３８】
ロープ手段のロープ１１は、第２伝動機構１０の第２駆動ディスク２２から延びて上方に向かう上行部１１Ａと、外側支柱３の上方端部に設けた滑車手段２４に巻き掛けたのち、下方に向かう下行部１１Ｂとを有する。ロープ１１の下行部１１Ｂには、互いに隣接する２個の鯉のぼり要素間の位置に固定した連結部材３７を設ける。この連結部材３７の一方の端部には、例えば、下行部１１Ｂが貫通するとともに下行部１１Ｂに固定するアクリルボールによるヘッド部分３７Ａを設け、下行部１１Ｂ連結部材３７の他方の端部には、外側支柱に遊嵌したガイドリング３８、および鯉のぼり要素の口輪手段２６に連結した連結ロープ手段３９の一方の端部に連結するためのリング部分３７Ｂを設ける。下行部１１Ｂの下端部は外側支柱３に連結する。
【００３９】
ロープ１１の上行部１１Ａはガイドリング３８の内側で自由に上方移動および下方移動するに従い、ロープ１１の下行部１１Ｂはガイドリング３８の内側で、上行部１１Ａとは逆の下方移動および上方移動をする。ロープ１１の下行部１１Ｂの上下動に連動して、連結部材３７のリング部分３７Ｂに連結したガイドリング３８が外側支柱３に沿って上下動するとともに、連結部材３７のリング部分３７Ｂに連結した連結ロープ手段３９も上下動する。連結ロープ手段３９の上下動に連動して、鯉のぼり要素４Ａ〜４Ｄの口輪手段２６をフック連結したヨーク手段２５が、外側支柱３に設けた長溝孔２８から突出する水平軸２７の周りに上下に回動する。このような連結部材３７および連結ロープ手段３９ではなく、ヨーク手段２５に設けたクロスバー２５Ｂにロープ１１の下行部１１Ｂを連結することもできる。最上位の鯉のぼり要素４Ａ（吹き流し）は、連結ロープ手段３９により、以下に説明する矢車ユニット５のスリーブ５２の上方端部近傍に設けた止め金具６４（図９参照）に連結し、鯉のぼり要素４Ａ（吹き流し）の上下動を安定させる。
【００４０】
各種の鯉のぼり要素４Ａ〜４Ｄは、それぞれの大きさに応じた寸法にし、図６に示すように、ヨーク手段２５に引っ掛けるフック４０を設けた口輪４１を有する口輪手段２６を有する。フック４０と口輪４１との間を、複数個の、図示の実施例では４個の細いプラスチックロッド２６Ａにより連結する。
【００４１】
この口輪４１の左右の半部でそれぞれ周方向に互いに離して口輪の軸線に平行に、ほぼ骨格の中央部まで延在する少なくとも２個のチューブ状の骨格材４２を、例えば、ビス４３により突設する。これら骨格材４２と、互いに隣接する骨格材４２を相互連結する肋材４４としての複数個の細いプラスチックロッドとにより前半骨格部分５０を構成する。骨格材４２の中間部分には中間胴体輪４５を、骨格材４２の口輪側とは反対側の端部には末端胴体輪４６を設ける。
【００４２】
末端胴体輪４６に隣接して、骨格材４２に挿通した１対の山形ブラケット４７間で、中心平面に沿うように、尾の方向に向かって延び、各鯉のぼり要素の輪郭にほぼ対応する形状に形成した可撓性の平坦シート４８を固定する。この平坦シート４８、およびこの平坦シートに互いに離して取り付けた肋材４９としての複数個のプラスチックロッドにより後半骨格部分５１を構成する。各種鯉のぼり要素４Ａ〜４Ｄとしての袋状に形成したスキンを後半骨格部分５１から前半骨格部分５０に装着する。
【００４３】
矢車ユニット５は、図９に示すように、第１端部および第２端部を有し、第１端部を外側支柱３の先端に着脱可能に取り付けるスリーブ５２と、このスリーブに対して回転可能に取り付けた水平軸５３の両側にそれぞれ設けた１対の矢車５４（図１参照）と、前記スリーブの前記第２端部に設けた衝立付きの支持プレート５５を有する。この支持プレート５５の衝立５５Ａには、第１および第２の伝動機構を駆動する前記電動モータとは別の第２電動モータ５６を固定する。この第２電動モータ５６の回転を矢車の水平軸５３に伝達する第３伝動機構５７を設ける。この第３伝動機構５７は、スプロケットホイールおよびこのスプロケットホイールに巻き掛ける歯付きベルトとすると好適である。
【００４４】
支持プレート５５を含めてスリーブ５２の先端部分、第２電動モータ５６および第３伝動機構５７の上側部分を包囲する玉飾り５８を設ける。この玉飾り５８に上方部分に複数個の空気孔５９を設け、玉飾り５８を固定ピン６０により、支持プレート５５の衝立５５Ａに固定する。
【００４５】
第２電動モータ５６は、電源スイッチ１３に接続し、中間軸の下方部分に設けたコード導入ブッシュ７Ｄ（図３参照）から中空の中間軸６内に挿通した給電コード６１（図１参照）に接続可能なコンセント６２を介して接続コード６３によって給電する。上述したように、スリーブ５２の上方端部近傍に、鯉のぼり要素４Ａ（吹き流し）の上下動を安定させる連結ロープ手段３９のための止め金具６４（図９参照）を設ける。
【実施例２】
【００４６】
図１１には、順次の鯉のぼり要素に対して交互に逆向きの首振り動作を付与する第１伝動機構、第１伝動機構と同一の駆動モータで駆動する矢車ユニットを備えた実施例の一部を示す。
したがって、この実施例２では、図示しないが、中間軸６の内部に同軸状に支承し、中間軸内で回転する中心軸６５を設ける。この中心軸６５は、図示しないが、本願人による先願発明である特開２００８−２９４３９号公報と同様の歯車および歯付きベルトによる第３伝動機構で駆動することができる。
【００４７】
実施例１では第２伝動機構１０により鯉のぼり要素を上下動させる機構を設けたが、必ずしも第２伝動機構および上下動機構は設ける必要はない。したがって、ヨーク手段２５は水平軸２７の軸線の周りに回動しない構成にすることができる。また、実施例１では吹き流しを設けて示したが、必ずしも吹き流しを設ける必要はない。さらに、実施例１では第２首振り機構Ｋ２の揺動レバー３３を外側支柱３の外部に配設したが、実施例２では、第２首振り機構Ｋ２の揺動レバー６６を外側支柱３の内部に配設したため、実施例１と比べて構成が簡単かつ外観がスッキリとして見栄えもよく、ノイズも少なくすることができる。
【００４８】
実施例２では、第２首振り機構Ｋ２の揺動レバー６６を外側支柱３の内部に配設し、支柱固定ブッシュ７Ｂ、第２中間軸固定ブッシュ７Ａ′および遊びブッシュ７Ｃのそれぞれに設けたキャビティ内（図１２参照）で運動可能に配置する。この実施例２では、第２中間軸固定ブッシュ７Ａ′および遊びブッシュ７Ｃを、実施例１とは上下関係が逆の構成とした。
【００４９】
揺動レバー６６は、拡大した球面状の軸受部６７と、この軸受部から上方および下方に突出するレバーアーム部６８，６９と、これらレバーアーム部６８，６９の遊端にそれぞれ設けた拡大ヘッド部７０，７０′とを有し、支柱固定ブッシュ７Ｂ、第２中間軸固定ブッシュ７Ａ′および遊びブッシュ７Ｃは、レバーアーム部６８，６９の回動および揺動を許容する円弧状キャビティ７１および軸受部６７または拡大ヘッド部７０，７０′をそれぞれ摺動可能に収容する球面状キャビティ７２を有する構成とする。
【００５０】
この構成により、中間軸６の軸線周りの回動を揺動レバー６６の一方の端部における拡大ヘッド部７０に伝達するとともに、揺動レバーの他方の端部における拡大ヘッド部７０′が遊びブッシュ７Ｃに作用して第２中間軸固定ブッシュ７Ａの回動とは逆方向の回動を、水平軸２７を介してヨーク手段２５に伝達する。
【００５１】
図１１の最上部に示すように、中心軸６５の頂部に鉄製の皿状プレート７３を設け、図１３に示す矢車ユニットの第１傘歯歯車７４のシャフト部をばね負荷により第２傘歯歯車７５に押圧するよう収容する案内スリーブ７６の底部に設けた磁石プレート７７に吸着するようにする。
【００５２】
図１４は、図６に示す口輪４１の左右の半部でそれぞれ周方向に互いに離して口輪の軸線に平行に、ほぼ骨格の中央部まで延在するよう、口輪４１に突設した少なくとも２個（合計４個）のチューブ状の骨格材４２における前半骨格部分５０の周囲に取り付けた肋材４４′としての複数個の細いプラスチックバンドを示す。
【００５３】
骨格材４２の中間部分には、図１５に示すように、尾の方向に向かって延び、各鯉のぼり要素の輪郭にほぼ対応する形状に形成した可撓性の平坦シート４８を、骨格材の口輪側とは反対側で骨格材を保持する、１対の張り出しアーム付きプレート７８間に挟み込んでクランプ保持する。また、図１５に示すように、後半骨格部分５１は、この平坦シート４８に互いに離して取り付けた肋材としての複数個のプラスチックバンド４９′を設ける。後半骨格部分５１から前半骨格部分５０にかけて、袋状に形成した各種鯉のぼり要素のスキンを装着する。
【産業上の利用可能性】
【００５４】
本発明屋内鯉のぼり翩翻装置は、五月の節句の頃に、庭のない家庭での鑑賞用、店舗におけるディスプレイ用に利用できる。
【符号の説明】
【００５５】
１    屋内鯉のぼり翩翻装置
２    底部ハウジング
２Ａ    仕切り板
２Ｂ    仕切り板
２Ｃ    ウォームボックス
３    外側支柱
４Ａ    鯉のぼり要素（吹き流し）
４Ｂ    鯉のぼり要素（黒鯉）
４Ｃ    鯉のぼり要素（赤鯉）
４Ｄ    鯉のぼり要素（青鯉）
５    矢車ユニット
６    中間軸
６Ａ    スラスト軸受部
７    ブッシュ手段
７Ａ    中間軸固定ブッシュ
７Ａ′  第２中間軸固定ブッシュ
７Ｂ    支柱固定ブッシュ
７Ｃ    遊びブッシュ
７Ｄ    コード導入ブッシュ
７Ｒ    ラジアル軸受ブッシュ
７Ｓ    スラスト軸受ブッシュ
８    電動モータ
８Ａ    変速機構ボックス
９    第１伝動機構
１０    第２伝動機構
１１    ロープ
１１Ａ  ロープの上行部
１１Ｂ  ロープの下行部
１２    天板
１３    電源スイッチ
１４    ウォーム
１５    第１駆動軸
１６    第１駆動ディスク
１７    第１偏心ピン
１８    ローラ
１９    案内アーム手段
２０    ウォームホイール
２１    第２駆動軸
２２    第２駆動ディスク
２３    第２偏心ピン
２４    滑車手段
２５    ヨーク手段
２５Ａ  ヨーク手段のウイング
２５Ｂ  ヨーク手段のクロスバー
２６    口輪手段
２７    水平軸
２８    長溝孔
２８′  第２長溝孔
２９    支軸
３０    作用ピン
３１    Ｕ字状部材
３２    伝達ピン
３２Ａ  拡大ヘッド
３３    揺動レバー
３３Ａ  中心孔
３４    下方窪み
３５    上方窪み
３６    伝達ピン
３７    連結部材
３７Ａ  ヘッド部分
３７Ｂ  リング部分
３８    ガイドリング
３９    連結ロープ手段
４０    フック
４１    口輪
４２    骨格材
４３    ビス
４４    肋材（プラスチックロッド）
４４′  肋材（プラスチックバンド）
４５    中間胴体輪
４６    末端胴体輪
４７    山形ブラケット
４８    平坦シート
４９    肋材（プラスチックロッド）
５０    前半骨格部分
５１    後半骨格部分
５２    スリーブ
５３    水平軸
５４    矢車
５５    支持プレート
５５Ａ  衝立
５６    第２電動モータ
５７    第３伝動機構
５８    玉飾り
５９    空気孔
６０    固定ピン
６１    給電コード
６２    コンセント
６３    接続コード
６４    止め金具
６５    中心軸
６６    揺動レバー
６７    軸受部
６８    レバーアーム部
６９    レバーアーム部
７０    拡大ヘッド部
７０′  拡大ヘッド部
７１    円弧状キャビティ
７２    球面状キャビティ
７３    皿状プレート
７４    第１傘歯歯車
７５    第２傘歯歯車
７６    案内スリーブ
７７    磁石プレート
７８    張り出しアーム付きプレート
Ｋ１    第１首振り機構
Ｋ２    第２首振り機構
【図１】
2011092688.tif 000003
【図２】
2011092688.tif 000004
【図３】
2011092688.tif 000005
【図４】
2011092688.tif 000006
【図５】
2011092688.tif 000007
【図６】
2011092688.tif 000008
【図７】
2011092688.tif 000009
【図８】
2011092688.tif 000010
【図９】
2011092688.tif 000011
【図１０】
2011092688.tif 000012
【図１１】
2011092688.tif 000013
【図１２】
2011092688.tif 000014
【図１３】
2011092688.tif 000015
【図１４】
2011092688.tif 000016
【図１５】
2011092688.tif 000017